(57)【要約】【課題】吊り紐を着脱する作業性が良く、携帯した時に吊り紐が外れにくい送風装置を提供する。【解決手段】ハウジング１の胴部１１に沿ってクリップ片２１が配してある。クリップ片２１の基端部側を胴部１１の外面に沿う方向の軸により枢支する支持部２２が胴部１１の外面に固定されており、クリップ片２１の先端部は胴部１１の外面に接離する。付勢部材により、クリップ片２１の先端部は胴部１１の外面に接する向きに付勢されている。支持部２２から胴部１１の外面に沿ってクリップ片２１の先端部方向へフック２４が延設されており、フック２４に吊り紐８が掛合する。【選択図】図４
2014058915.tif 000002
【特許請求の範囲】
【請求項１】
帯電粒子を空気とともに吹き出すハウジングを吊り紐で吊り提げて携帯することができる送風装置において、
前記ハウジングに沿って配してあるクリップ片と、
前記ハウジングの外面に固定されており、前記クリップ片の先端部が前記外面に接離するように該クリップ片の基端部を前記外面に沿う方向の軸により枢支する支持部と、
前記クリップ片の先端部が前記外面に接する向きに付勢する付勢部材と、
前記支持部から前記外面に沿って前記先端部方向へ延設されており、前記吊り紐に掛合するフックと
を備えることを特徴とする送風装置。
【請求項２】
前記フックを前記軸の軸心方向に離間して複数並設してあることを特徴とする請求項１に記載の送風装置。
【請求項３】
前記フックは、前記基端部の前記軸心方向の両端間に配してあることを特徴とする請求項２に記載の送風装置。
【請求項４】
前記フックの先端部は基端側よりも前記外面に近いことを特徴とする請求項１から請求項３のいずれか１つに記載の送風装置。
【請求項５】
前記フックの先端部に前記外面側へ突出する抜止片を設けてあることを特徴とする請求項１から請求項３のいずれか１つに記載の送風装置。
【発明の詳細な説明】
【技術分野】
【０００１】
本発明は、吸い込んだ空気を帯電粒子とともに吹き出す送風装置に関する。
【背景技術】
【０００２】
人の肌弾力を向上させる等の美容の分野において、肌の周囲に帯電粒子を照射する美容器具が種々提案されている。この美容器具は、帯電粒子発生器により帯電粒子を発生させて放出し、帯電粒子を人の肌に照射する。照射された帯電粒子によって、肌表面の水分量が増加する効果が得られるとともに、皮膚のより深い部分（真皮）における保水力を高めて肌弾力を向上する効果がある。
【０００３】
帯電粒子を発生させる方法としては、空気中で放電を行ってＨ+ （Ｈ2 Ｏ）m 、Ｏ2-（Ｈ2 Ｏ）n 等の水分子が凝集した正及び負のイオンを発生させる方法が知られている。ここで、ｍ及びｎは任意の自然数である。また、帯電粒子を発生させる他の方法としては、冷却した電極上における結露等で集めた水に高電圧をかけることにより、霧状の帯電した水粒子（以下、帯電水粒子と表記する。）を発生させる方法等もある。水分子が凝集したイオン、帯電水粒子等の帯電粒子が人の肌に照射されることによって、肌表面にＯＨ基が付着し、肌表面が親水化されて水分子が付着しやすくなるという効果が生じるものと考えられている。
【０００４】
このような美容器具は、屋内で卓上に置いて使用されるだけでなく、屋内、屋外を問わず携帯して使用する場合も考えられる。美容のため、より長い時間、より多くの帯電粒子の照射を受けられる美容器具を求めるニーズは高い。
【０００５】
特許文献１には、携帯して使用できる送風装置が記載されている。特許文献１に記載されている送風装置は、ケースの上面に送風口、正面及び底面に空気吸入口が設けられており、正面内側に配してある送風機を回転駆動することによって、空気吸入口から吸い込んだ空気を送風口から吹き出す。また、ケースの背面には、送風装置を衣服やベルトに掛止するためのクリップを配置し、ケースの上部には逆Ｕ字状に取っ手が取り付けられている。また、取っ手の左右中途部には、吊り紐を取り付けるためのフック掛け部が設けられている。したがって、特許文献１に記載の送風装置は、取っ手により持ち運びが可能であり、クリップで衣服やベルトに掛止して携帯したり、取っ手に吊り紐を付けて吊り下げて携帯して使用することができる。
【先行技術文献】
【特許文献】
【０００６】
【特許文献１】特開２０１２−００７５９７号公報
【発明の概要】
【発明が解決しようとする課題】
【０００７】
しかしながら、手のひらに納まる大きさの送風装置では、特許文献１に記載された取っ手はもはや不要となるため、取っ手に代わる吊り紐の掛合手段が必要になる。吊り紐を送風装置のケースに掛ける手段としてケースにリング状の掛合部を設け、該掛合部に吊り紐の端部を結ぶことが考えられるが、手間がかかり利便性が低下するという問題点があった。
【０００８】
また、特許文献１に記載されたクリップに、輪にした吊り紐を掛けることも考えられる。しかし、送風装置を吊り紐で吊り提げて携帯した場合には、クリップでベルト等に掛止して携帯した場合に比べて、送風装置が振り動かされる範囲が広がり、周囲の物品に引っ掛かって吊り紐を取り付けたクリップに大きな荷重がかかり、クリップを破損する虞れがある。
【０００９】
本発明は斯かる事情に鑑みてなされたものであり、その目的とするところは、吊り紐を着脱する作業性が良く、携帯した時に吊り紐が外れにくい送風装置を提供することにある。
【課題を解決するための手段】
【００１０】
本発明に係る送風装置は、帯電粒子を空気とともに吹き出すハウジングを吊り紐で吊り提げて携帯することができる送風装置において、前記ハウジングに沿って配してあるクリップ片と、前記ハウジングの外面に固定されており、前記クリップ片の先端部が前記外面に接離するように該クリップ片の基端部を前記外面に沿う方向の軸により枢支する支持部と、前記クリップ片の先端部が前記外面に接する向きに付勢する付勢部材と、前記支持部から前記外面に沿って前記先端部方向へ延設されており、前記吊り紐に掛合するフックとを備えることを特徴とする。
【００１１】
本発明にあっては、帯電粒子を空気とともに吹き出すハウジングを吊り紐で吊り提げて携帯することができ、ハウジングに沿ってクリップ片が配してあり、クリップ片の基端部をハウジングの外面に沿う方向の軸により枢支する支持部がハウジングの外面に固定されており、クリップ片の先端部はハウジングの外面に接離する。付勢部材は、クリップ片の先端部がハウジングの外面に接する向きに付勢する。支持部からハウジングの外面に沿ってクリップ片の先端部方向へフックが延設されており、フックに吊り紐が掛合する。これにより、クリップ片の先端部をハウジングの外面から離すように操作し、吊り紐をフックに掛合できるので、吊り紐を着脱する作業性が良く、吊り紐がクリップ片に掛合してクリップ片を破損することが防止され、送風装置を携帯したときに吊り紐が外れにくい。
【００１２】
本発明に係る送風装置は、前記フックを前記軸の軸心方向に離間して複数並設してあることを特徴とする。
【００１３】
本発明にあっては、クリップ片が枢支される軸の軸心方向に離間してフックが複数並設してあるので、送風装置を吊り紐で吊り提げたときに送風装置が回転することが防止される。
【００１４】
本発明に係る送風装置は、前記フックが、前記基端部の前記軸心方向の両端間に配してあることを特徴とする。
【００１５】
本発明にあっては、フックが、クリップ片の基端部における軸心方向の両端間に配してあるので、クリップ片の内側に収まり、フックが他の物品に掛合することが防止される。
【００１６】
本発明に係る送風装置は、前記フックの先端部は基端側よりも前記外面に近いことを特徴とする。
【００１７】
本発明にあっては、フックの先端部が基端側よりもハウジングの外面に近いので、フックに掛合させた吊り紐の抜けが防止される。
【００１８】
本発明に係る送風装置は、前記フックの先端部に前記外面側へ突出する抜止片を設けてあることを特徴とする。
【００１９】
本発明にあっては、フックの先端部にハウジングの外面側へ突出する抜止片を設けてあるので、フックに掛合させた吊り紐の抜けが防止される。
【発明の効果】
【００２０】
本発明によれば、ハウジングに沿ってクリップ片が配してあり、クリップ片の基端部をハウジングの外面に沿う方向の軸により枢支する支持部がハウジングの外面に固定されており、クリップ片の先端部はハウジングの外面に接離する。付勢部材は、クリップ片の先端部がハウジングの外面に接する向きに付勢する。支持部からハウジングの外面に沿ってクリップ片の先端部方向へフックが延設されており、フックに吊り紐が掛合する。このため、吊り紐を着脱する作業性が良く、吊り紐が外れにくい。
【図面の簡単な説明】
【００２１】
【図１】本発明の実施の形態に係る送風装置の正面側の外観を示す斜視図である。
【図２】送風装置の背面側の外観を示す斜視図である。
【図３】クリップ部を除く送風装置の縦断側面図である。
【図４】送風装置の右側面図である。
【図５】送風装置の上面図である。
【図６】クリップ部の分解斜視図である。
【図７】変形例に係るフックの形状を説明するための模式図である。
【発明を実施するための形態】
【００２２】
以下、本発明に係る送風装置の実施の形態を図面に基づいて説明する。
【００２３】
図１は本発明の実施の形態に係る送風装置１００の正面側の外観を示す斜視図、図２は送風装置１００の背面側の外観を示す斜視図、図３はクリップ部２を除いた送風装置１００の縦断側面図である。なお、図３において紙面右側は送風装置１００の正面側（前側）、紙面左側は送風装置１００の背面側（後側）であり、紙面垂直方向は送風装置１００の左右方向である。
【００２４】
本実施形態の送風装置１００は、外部から吸い込んだ空気とともに、正イオン及び負イオン（以下、正負イオンという）を外部へ吹き出す機能を有する。吹き出された正負イオンは、人の顔など肌へ照射され、肌に付着して肌表面の水分量を増加し、肌弾力を向上させる。本実施形態の送風装置１００は外形が角柱状をなし、例えば、高さが５０ｍｍ程度、左右方向の幅が３５ｍｍ程度、前後方向の厚みが１０ｍｍ程度と小型であり、携帯用として使用される。
【００２５】
送風装置１００は、ハウジング１、回路基板７３、バッテリ７４、送風機７５、イオン発生器７６、クリップ部２及び吊り紐８を備える。ハウジング１は縦型で角筒状をなす胴部１１、胴部１１の上端を覆う板状の上板１２、胴部１１の下端を覆う板状の底板１３を備える。胴部１１は、左右両側の中途部やや下寄りに吸込口１１ａを有する。上板１２は、前寄りに吹出口１２ａ，１２ｂを有する。底板１３には、外部電源に接続するためのＵＳＢソケット端子及び電源ボタン（図示略）を設けてある。
【００２６】
送風装置１００のハウジング１内部構成について説明する。回路基板７３は、前後方向の略中央に配置されている。バッテリ７４は、例えば充電可能なリチウムイオン電池等であり、外形が矩形板状をなす。バッテリ７４は回路基板７３の後側に配してある。送風機７５は遠心ファンであり、複数の羽根７５ａがモータ７５ｂにより前後方向の軸まわりに回転駆動される。送風機７５は、回路基板７３の前側に隙間を空けて配置されており、該隙間はハウジング１の胴部１１に設けた吸込口１１ａに通じており、上流側通流路７７ａを構成している。
【００２７】
送風機７５の羽根７５ａが回転することにより、図３の白抜き矢印に示すように、上流側通流路７７ａから送風機７５の内部空間７７ｂに空気が吸い込まれ、送風機７５の上部に設けた開口から下流側通流路７７ｃへ送出される。下流側通流路７７ｃには、イオン発生器７６の放電電極７６ａ，７６ｂが露出している（図５参照）。尚、放電電極７６ａは吹出口１２ａ側に、放電電極７６ｂは吹出口１２ｂ側に配置されている。
【００２８】
イオン発生器７６は回路基板７３の上方に配置されており、イオン発生器７６の放電電極７６ａには負極性の高電圧が、放電電極７６ｂには正極性の高電圧が夫々印加されている。高電圧の印加により、放電電極７６ａでは負イオンであるＯ2 - （Ｈ2 Ｏ）n （ｎは任意の自然数）が発生し、放電電極７６ｂでは正イオンであるＨ+ （Ｈ2 Ｏ）m （ｍは任意の自然数）が発生する。尚、イオン発生器７６は正又は負のイオンのいずれか一方を発生するものでもよい。イオン発生器７６により発生させた正負イオンは、下流側通流路７７ｃを通流する空気とともに、吹出口１２ａ，１２ｂから吹き出される。
【００２９】
次にクリップ部２の構成について説明する。図４はクリップ部２を含む送風装置１００の右側面図、図５はクリップ部２を含む送風装置１００の上面図、図６はクリップ部２の分解斜視図である。クリップ部２はクリップ片２１、支持部２２及び取付板２５を備える。
【００３０】
クリップ片２１は矩形状をなし、基端部側に支持部２２に取り付けるためのフランジ２１ａ，２１ａが左右方向に離間して、クリップ片２１のハウジング１側の面に立設されている。クリップ片２１の先端部側には、ハウジング１の胴部１１に当接する爪２１ｂが形成してある。フランジ２１ａ，２１ａは、互いに向き合う面に後述する支持部２２の枢軸２３，２３に嵌合する円形状の凹部（図示略）を有する。クリップ片２１は、送風装置１００の上端部側に基端部が、送風装置１００の下端部側に先端部が位置するように配置されている。
【００３１】
支持部２２は、左右方向の軸に交差する断面が半円状をなすブロック状の部材であり、胴部１１上端部への取付面が平面状、クリップ片２１に対向する面が円弧状としてある。支持部２２の左右端面の後方寄りに枢軸２３，２３が設けてある。枢軸２３，２３の軸心方向は左右方向である。支持部２２の下部の左右方向に離間した位置から胴部１１に沿って下方へフック２４，２４が延設されている。フック２４，２４は枢軸２３，２３の軸心方向の内側に設けてあり、クリップ片２１の基端部側における該軸心方向の両端間に配置されている。また、支持部２２には、螺子２６，２６の取付穴２２ｂ、２２ｂ、及びねじりコイルばね２７を取り付ける軸体２２ｃが設けられている。
【００３２】
取付板２５は矩形板状をなし、左右に離間して立設された円柱状のボス２５ｂ，２５ｂを有し、ボス２５ｂ，２５ｂの先端には、螺子穴が設けられている。尚、ハウジング１の胴部１１の上端部後側の面には、ボス２５ｂ，２５ｂを挿通する穴１１ｂ，１１ｂが設けてある。
【００３３】
取付板２５のボス２５ｂ，２５ｂをハウジング１の胴部１１の穴１１ｂ，１１ｂに挿通し、更に支持部２２の取付穴２２ｂ，２２ｂに挿通させ、螺子２６，２６をボス２５ｂ，２５ｂの先端に設けた螺子穴に締結することで、支持部２２がハウジング１の胴部１１に固定される。ねじりコイルばね２７を軸体２２ｃに取り付け、クリップ片２１のフランジ２１ａ，２１ａ夫々に設けた上述の凹部を枢軸２３，２３と嵌合させる。
【００３４】
クリップ片２１は、枢軸２３，２３により揺動可能となっており、クリップ片２１の先端部は揺動によってハウジング１の胴部１１外面に接離する。また、ねじりコイルばね２７により、クリップ片２１の先端部は、ハウジング１の胴部１１外面に接する向きに付勢されている。また、クリップ片２１を支持部２２に取り付けた状態で、フック２４，２４は、クリップ２１の裏側（ハウジング１の外面側）に収まる。
【００３５】
吊り紐８はクリップ片２１の先端部を胴部１１から離すようにクリップ片２１を操作した状態で、クリップ片２１と胴部１１との間にクリップ片２１の下方側から挿入する。挿入した後、クリップ片２１の先端部が胴部１１に接した状態に戻し、吊り紐８をそのまま上に持ち上げて、フック２４，２４に掛合させる。図４に示すように、フック２４，２４とクリップ片２４との間には隙間がないので、吊り紐８はフック２４，２４に掛合する。吊り紐８で送風装置１００を吊り下げた状態で移動することによって、送風装置１００が振り動かされても、吊り紐８はクリップ片２１，２１には掛合せず、フック２４，２４に掛合する。
【００３６】
以上のとおり、本実施形態によれば、ハウジング１の胴部１１に沿ってクリップ片２１が配してあり、クリップ片２１の基端部側を胴部１１の外面に沿う方向の枢軸２３，２３により枢支する支持部２２が胴部１１の外面に固定されており、クリップ片２１の先端部は胴部１１の外面に接離する。ねじりコイルばね２７は、クリップ片２１の先端部が胴部１１の外面に接する向きにクリップ片２１を付勢する。支持部２２から胴部１１の外面に沿ってクリップ片２１の先端部方向へフック２４，２４が延設されており、フック２４，２４に吊り紐８が掛合する。これにより、クリップ片２１の先端部を胴部１１の外面から離すように操作し、吊り紐８をフック２４，２４に掛合できるので、吊り紐８を着脱する作業性が良く、吊り紐８がクリップ片２１に掛合してクリップ片２１を破損することが防止され、送風装置１００を携帯したときに吊り紐８が外れにくい。
【００３７】
また、本実施形態によれば、枢軸２３，２３の軸心方向に離間してフック２４，２４が複数並設してあるので、送風装置１００を吊り紐８で吊り提げたときに送風装置１００が回転することが防止される。
【００３８】
また、本実施形態によれば、フック２４，２４は、クリップ片２１の基端部における枢軸２３，２３の軸心方向の両端間に配してあるので、クリップ片２１の内側に収まり、他の物品に掛合することが防止される。
【００３９】
ここで、本実施形態によれば、クリップ片２１の先端部側には、ハウジング１の胴部１１に当接する爪２１ｂが形成してあるが、爪２１ｂを必ずしも形成する必要はない。また、クリップ片２１の先端部側と接離するハウジング１の胴部１１に凸部が設けられていてもよい。
【００４０】
（変形例）
図７は、変形例に係るフックの形状を説明するための模式図である。図７Ａに示すフック２４は、先端部が基端側よりもハウジング１の胴部１１の外面に近い形状としてある。吊り紐８をフック２４に掛合した後、フック２４の先端部が基端側よりも胴部１１の外面に近いので、吊り紐８がフック２４から抜けることが防止される。
【００４１】
図７Ｂに示すフック２４は、先端部にハウジング１の胴部１１の外面側へ突出する抜止片２４ａを設けてあるので、フック２４に掛合させた吊り紐８の抜けが防止される。
【００４２】
また、本実施の形態においては、帯電粒子として水分子が凝集したイオンを発生させる形態を示したが、この形態に限られることなく、送風装置１００が帯電水粒子等の帯電粒子を発生させる形態であってもよい。
【００４３】
なお、本発明は、本実施の形態だけに限ることなく、特許請求の範囲に記載された発明の技術的範囲及びそれと均等な範囲に及ぶものとする。
【符号の説明】
【００４４】
１  ハウジング
２１  クリップ片
２２  支持部
２４  フック
２４ａ  抜止片
２７  ねじりコイルばね（付勢部材）
８  吊り紐
１００  送風装置
【図１】
2014058915.tif 000003
【図２】
2014058915.tif 000004
【図３】
2014058915.tif 000005
【図４】
2014058915.tif 000006
【図５】
2014058915.tif 000007
【図６】
2014058915.tif 000008
【図７】
2014058915.tif 000009